(57)【要約】【課題】複数種のアンテナを有し、使い勝手がよく信頼性が高いカード型装置を提供する。【解決手段】スライドアンテナ基板２を、カード本体５への収納状態とカード本体５からの引き出し状態との間でスライド移動自在に設け、スライドアンテナ基板２に平面型アンテナ７を設ける。ロッドアンテナ３の基端側をカード本体５に固定し、ロッドアンテナ３の伸長側はスライドアンテナ基板２に設けたスライドガイド４を通してスライドアンテナ基板２のスライド方向にスライド伸縮自在に配置する。ロッドアンテナ３の収納状態時においては先端面がスライドアンテナ基板２の先端面よりも先方側に突出しない位置とし、スライドアンテナ基板２に係合する係合部をロッドアンテナ３の先端側に設けて、スライドアンテナ基板２をカード本体５から引き出すときにロッドアンテナ３がスライドアンテナ基板２と共に引き出される構成と成す。【選択図】図１
2010098370.tif 000002
【特許請求の範囲】
【請求項１】
カード挿入部に挿入されるカード本体と、該カード本体の挿入後端側に収納されたスライドアンテナ基板とを有し、該スライドアンテナ基板は前記カード本体のカード挿入方向にスライド自在に設けられて前記カード本体への収納状態と前記カード本体からの引き出し状態との間でスライド移動自在と成しており、前記スライドアンテナ基板には一つ以上の平面型アンテナが設けられ、前記カード本体にはロッドアンテナの基端側が固定されていて、その基端側からのロッドアンテナの伸長側は前記スライドアンテナ基板に設けたスライドガイドを通して前記スライドアンテナ基板のスライド方向にスライド伸縮自在に配置されており、前記ロッドアンテナの先端側には前記スライドアンテナ基板に係合する係合部が設けられて該スライドアンテナ基板を前記カード本体から引き出すときに前記ロッドアンテナが前記スライドアンテナ基板と共に引き出される構成と成し、前記ロッドアンテナの収納状態時におけるそのアンテナ先端面は前記スライドアンテナ基板の先端面よりも先方側に突出しない後退位置に設けられて、前記スライドアンテナ基板を前記カード本体に収納した状態で該カード本体を前記カード挿入部に挿入することにより前記スライドアンテナ基板と前記ロッドアンテナが前記カード挿入部から外側に突出せずに前記カード本体と共にカード挿入部に挿入され、前記スライドアンテナ基板を前記カード本体から引き出すときには前記ロッドアンテナの先端側が前記スライドアンテナ基板と共に前記カード挿入部から引き出されることを特徴とするカード型装置。
【請求項２】
スライドアンテナ基板の引き出し先端側には先方側に突出した突起部が設けられ、該突起部は前記スライドアンテナ基板をカード本体に収納して該カード本体をカード挿入部に挿入した状態において該カード挿入部から突出することにより、前記スライドアンテナ基板の前記カード本体からの引き出し時の把持部と成すことを特徴とする請求項１記載のカード型装置。
【請求項３】
引き出したロッドアンテナの先端面をスライドアンテナ基板の先端面よりも先方側に突出しない後退位置に引っ込めた状態で、カード本体から引き出されたスライドアンテナ基板をその引き出し方向と反対側にスライド移動させて前記カード本体内に挿入収納するときに、ロッドアンテナを前記スライドアンテナ基板と追従させてスライド収縮し前記カード本体内に収納するための追従係合手段が該ロッドアンテナの先端側に設けられていることを特徴とする請求項１または請求項２記載のカード型装置。
【発明の詳細な説明】
【技術分野】
【０００１】
本発明は、無線通信機能を備えたＰＣカードやＣＦカード等のカード型装置に関するものである。なお、ＣＦ（コンパクトフラッシュ）は登録商標である。
【背景技術】
【０００２】
図４に示すように、パソコン（パーソナルコンピュータ）４１にＰＣカードを挿入装着して用いることが行われており、このようなＰＣカード等の無線通信用カード端末（カード型装置）において、無線通信用のアンテナをカード本体に収納したり引き出したりすることが可能なカード型装置が提案されている（例えば、特許文献１、２、参照）。
【０００３】
図５には、特許文献１に記載されているＰＣカードの例が示されており、このＰＣカード３０は、無線用のアンテナを備えたアンテナユニット２２を、カード本体２１に対してスライド移動自在に設けている。図５（ａ）は、アンテナユニット２２をカード本体２１から引き出した状態を示しており、図５（ｂ）は、アンテナユニット２２をカード本体２１内に収納した状態を示している。
【０００４】
この提案例のＰＣカード３０は、図５（ｂ）に示すようにアンテナユニット２２をカード本体２１に収納した状態で、パソコン４１のカードスロット１０に挿入装着した際に、アンテナユニット２２が外部にはみ出さないようにすることで、外部からの衝撃を避けて耐破損性の向上を図り、また、携帯性および操作性の向上を図れるとされている。
【０００５】
【特許文献１】特開２００１−３３２９１４号公報
【特許文献２】特開平８−２７９０２７号公報
【発明の開示】
【発明が解決しようとする課題】
【０００６】
ところで、近年、カードの複合化等により、複数種のアンテナを有するカード型装置が要求されるようになってきている。しかしながら、前記提案のＰＣカード３０は、アンテナを一種のみ有する構成であるので、その要求に答えることができない。
【０００７】
また、良好な無線特性を確保するためには、アンテナをパソコン４１のカードスロット１０から外側に突出させる必要があるが、前記提案のＰＣカード３０は、アンテナをカード本体２１へ収納した状態でパソコン４１のカードスロット１０に挿入装着した際に、アンテナが外部にはみ出さないようにしていることから、その状態でアンテナユニット２２を引き出すことが難しい。そのため、使い勝手が悪く、また、その使い勝手をよくするために、ＰＣカード３０をカードスロット１０に挿入する前に、アンテナユニット２２を引き出して用いると、耐破損性や携帯性および操作性の向上を十分に図ることはできなかった。
【０００８】
本発明は上記課題を解決するために成されたものであり、その目的は、複数種のアンテナを有して、耐破損性や携帯性および操作性の向上を十分に図ることができるカード型装置を提供することにある。
【課題を解決するための手段】
【０００９】
上記目的を達成するために、この発明は次に示す構成をもって前記課題を解決するための手段としている。すなわち、本発明のカード型装置は、カード挿入部に挿入されるカード本体の挿入後端側に、カード本体のカード挿入方向にスライド自在に設けられたスライドアンテナ基板を備え、前記カード本体への収納状態と前記カード本体からの引き出し状態との間で移動自在と成しており、前記スライドアンテナ基板には一つ以上の平面型アンテナが設けられ、前記カード本体にはロッドアンテナの基端側が固定されていて、その基端側からのロッドアンテナの伸長側は前記スライドアンテナ基板に設けたスライドガイドを通して前記スライドアンテナ基板のスライド方向にスライド伸縮自在に配置されており、前記ロッドアンテナの先端側には前記スライドアンテナ基板に係合する係合部が設けられて該スライドアンテナ基板を前記カード本体から引き出すときに前記ロッドアンテナが前記スライドアンテナ基板と共に引き出される構成と成し、前記ロッドアンテナの収納状態時におけるそのアンテナ先端面は前記スライドアンテナ基板の先端面よりも先方側に突出しない後退位置に設けられて、前記スライドアンテナ基板を前記カード本体に収納した状態で該カード本体を前記カード挿入部に挿入することにより前記スライドアンテナ基板と前記ロッドアンテナが前記カード挿入部から外側に突出せずに前記カード本体と共にカード挿入部に挿入され、前記スライドアンテナ基板を前記カード本体から引き出すときには前記ロッドアンテナの先端側が前記スライドアンテナ基板と共に前記カード挿入部から引き出される構成をもって課題を解決する手段としている。
【発明の効果】
【００１０】
本発明のカード型装置は、カード挿入部に挿入されるカード本体と、該カード本体の挿入後端側に収納されたスライドアンテナ基板とを有しているが、このスライドアンテナ基板には一つ以上の平面型アンテナが設けられ、また、基端側が前記カード本体に固定されたロッドアンテナの伸長側が、スライドアンテナ基板に設けたスライドガイドを通してスライドアンテナ基板のスライド方向にスライド伸縮自在に配置されている。つまり、本発明のカード型装置は、平面型アンテナとロッドアンテナとの複数種のアンテナを有しており、近年求められている複数種のアンテナを有するカード型装置を実現することができる。
【００１１】
また、本発明のカード型装置は、前記ロッドアンテナの収納状態時におけるアンテナ先端面が前記スライドアンテナ基板の先端面よりも先方側に突出しない後退位置に設けられており、前記スライドアンテナ基板を前記カード本体に収納した状態で該カード本体を前記カード挿入部に挿入することにより、前記スライドアンテナ基板と前記ロッドアンテナが前記カード挿入部から外側に突出せずに前記カード本体と共にカード挿入部に挿入されるので、外部からの衝撃を避けて耐破損性の向上を図ることができる。また、携帯性および操作性の向上も図ることができるし、パソコン等のカード挿入部に挿入した際に、良好な外観を保つことができる。
【００１２】
さらに、本発明のカード型装置は、前記ロッドアンテナの先端側に、前記スライドアンテナ基板に係合する係合部が設けられて、該スライドアンテナ基板を前記カード本体から引き出すときに前記ロッドアンテナが前記スライドアンテナ基板と共に引き出される構成と成しているので、スライドアンテナ基板とロッドアンテナとを同時に引き出すことができ、使い勝手を良好にできる。
【００１３】
また、本発明のカード型装置において、スライドアンテナ基板の引き出し先端側に、先方側に突出した突起部を設けて、該突起部が、前記スライドアンテナ基板をカード本体に収納して該カード本体をカード挿入部に挿入した状態において前記突起部がカード挿入部から突出する構成としたものにおいては、スライドアンテナ基板をカード本体に収納して該カード本体をカード挿入部に挿入した状態においても、突起部を把持することで、容易にスライドアンテナ基板を引き出すことができる。
【００１４】
さらに、本発明において、引き出したロッドアンテナの先端面をスライドアンテナ基板の先端面よりも先方側に突出しない後退位置に引っ込めた状態で、カード本体から引き出されたスライドアンテナ基板をその引き出し方向と反対側にスライド移動させて前記カード本体内に挿入収納するときに、ロッドアンテナを前記スライドアンテナ基板と追従させてスライド収縮し前記カード本体内に収納するための追従係合手段が該ロッドアンテナの先端側に設けられているものにおいては、スライドアンテナ基板の収納時にも、ロッドアンテナを追従させて収納できるので、より使い勝手を良好にできる。
【発明を実施するための最良の形態】
【００１５】
以下に、本発明に係る実施形態例を図面に基づいて説明する。
【００１６】
図２には、本発明に係るカード型装置の一実施形態例の模式的な外観図が示されており、図１（ａ）、（ｂ）には、そのカード型装置１が、パソコン（例えばノート型パソコン）４１のカードスロット１０に挿入装着状態で、模式的な断面図により示されている。本実施形態例のカード型装置１は、例えばＰＣカードやＣＦカードとして適用され、図１に示すように、カード挿入部としての前記カードスロット１０に挿入される。
【００１７】
カード型装置１は、例えば表裏面が電磁シールドされたカード本体５と、該カード本体５の挿入後端側に収納されたスライドアンテナ基板２とを有している。該スライドアンテナ基板２は、カード本体５の基板収納部６に嵌合されて、カード本体５のカード挿入方向にスライド自在に設けられており、カード本体５への収納状態と前記カード本体５からの引き出し状態との間でスライド移動自在と成している。
【００１８】
なお、図１（ａ）は、スライドアンテナ基板２の収容状態を示し、図１（ｂ）は、スライドアンテナ基板２の引き出し状態を示している。また、図２においては、（ａ）、（ｂ）、（ｃ）がスライドアンテナ基板２の収容状態を示し、（ｄ）、（ｅ）がスライドアンテナ基板２の引き出し状態を示しており、図２の（ｂ）、（ｅ）はカード型装置１の平面図、（ａ）、（ｄ）はカード型装置１の側面図、（ｃ）はカード型装置１を、スライドアンテナ基板２の配設側から見た図をそれぞれ示す。
【００１９】
図１（ａ）、（ｂ）に示すように、前記スライドアンテナ基板２には、一つ以上（ここでは２つ）の無線通信用の平面型アンテナ７（７ａ，７ｂ）が設けられており、この例においては、平面型アンテナ７は、スライドアンテナ基板２の引き出し先端側に設けられている。また、前記カード本体５には、無線通信用のロッドアンテナ３の基端側が固定されていて、その基端側からのロッドアンテナ３の伸長側は、前記スライドアンテナ基板２に設けられている貫通孔のスライドガイド４を通して、前記スライドアンテナ基板２のスライド方向にスライド伸縮自在に配置されている。
【００２０】
なお、図３に示すように、ロッドアンテナ３は、多段（ここでは、３段）のロッド部を有して自由に伸縮できるように構成されていることにより、前記の如く、前記スライドアンテナ基板２のスライド方向にスライド伸縮自在と成している。このロッドアンテナ３は、そのアンテナ頭部８を（例えば指で摘んで）先方側に引き出すと伸張し、先端側がスライドアンテナ基板２の先端面よりも先方側に突出する。また、その反対に、ロッドアンテナ３のアンテナ頭部８をスライドアンテナ基板２側に押すと、ロッドアンテナ３は縮んで元の位置に戻る。なお、図３において、符号１３は、カード本体５に設けられた下側基板を示しており、この下側基板１３は、スライドアンテナ基板２と微少間隔を介して配置され、ロッドアンテナ３や前記平面型アンテナ７と電気的に接続されている。
【００２１】
また、前記ロッドアンテナ３の先端側であるアンテナ頭部８は、その他の部位よりも外側に張り出した拡径部位と成しており、この拡径部位（アンテナ頭部８）は、前記スライドアンテナ基板２のスライドガイド４の先端側に設けられた被係合部としての、凹部状の頭部嵌合部９に係合されている（図１（ｃ）、参照）。つまり、アンテナ頭部８は、その径がスライドガイド４の内径よりも大きく形成されることにより、スライドアンテナ基板２（の頭部嵌合部９）に係合する係合部と成しており、それにより、スライドアンテナ基板２を前記カード本体５から引き出すときに、前記ロッドアンテナ３が前記スライドアンテナ基板２と共に引き出される構成と成している。
【００２２】
なお、本実施形態例において、ロッドアンテナ３は、収納状態時におけるそのアンテナ先端面（アンテナ頭部８の端部）が、前記スライドアンテナ基板２の先端面よりも先方側に突出しない後退位置に設けられている。そして、図１（ａ）に示すように、前記スライドアンテナ基板２を前記カード本体５に収納した状態で該カード本体５を前記カードスロット１０に挿入することにより、前記スライドアンテナ基板２と前記ロッドアンテナ３が前記カードスロット１０から外側に突出せずに、前記カード本体５と共にカードスロット１０に挿入される。
【００２３】
また、本実施形態例では、前記スライドアンテナ基板２の引き出し先端側に、先方側に突出した突起部１２が設けられている。該突起部１２は前記スライドアンテナ基板２をカード本体５に収納して該カード本体５をカードスロット１０に挿入した状態において、該カードスロット１０から突出することにより（図１（ａ）、参照）、前記スライドアンテナ基板２の前記カード本体５からの引き出し時の把持部と成すものである。そして、この把持部（突起部１２）を把持してスライドアンテナ基板２を前記カード本体５から引き出すことにより、本実施形態例では、ロッドアンテナ３の先端側がスライドアンテナ基板２と共に前記カードスロット１０から容易に引き出すことができる。
【００２４】
さらに、本実施形態例では、図１（ｂ）に示すように、スライドアンテナ基板２よりも先端側に引き出したロッドアンテナ３の先端面（アンテナ頭部８の端面）を、スライドアンテナ基板２の先端面よりも先方側に突出しない後退位置に引っ込めた状態で、カード本体５から引き出されたスライドアンテナ基板２を、その引き出し方向と反対側にスライド移動させ、前記カード本体５内に挿入収納するときに、ロッドアンテナ３を前記スライドアンテナ基板２と追従させてスライド収縮させ、前記カード本体内５に収納するための追従係合手段が、ロッドアンテナ３の先端側に設けられている。
【００２５】
この追従係合手段は、本実施形態例においては、ロッドアンテナ３のアンテナ頭部８を頭部嵌合部９よりも僅かに大きめに（ただし、頭部嵌合部９に圧入装着できる大きさに）形成したものであり、それによって、図１（ｃ）に示すように、ロッドアンテナ３のアンテナ頭部８とスライドアンテナ基板２の頭部嵌合部９の内壁との摩擦を大きく形成し、アンテナ頭部８が頭部嵌合部９から外れにくいようにしている。また、アンテナ頭部８の外周側表面を粗面に形成すると、頭部嵌合部９の内壁との摩擦をさらに大きくする。なお、図１（ｃ）は、図１（ａ）の状態における頭部嵌合部９とロッドアンテナ３のアンテナ頭部８との嵌合構成を拡大して示している。
【００２６】
そして、ロッドアンテナ３のアンテナ頭部８を、その先端面がスライドアンテナ基板２の先端面から突出しない状態に圧入装着した状態で、スライドアンテナ基板２をカード本体５側に向けてスライド移動すると、ロッドアンテナ３のアンテナ頭部８側が取り残されずに（つまり、スライドアンテナ基板２がカード本体５内に収納される際に、ロッドアンテナ３の先端側が突出した状態とならずに）、スライドアンテナ基板２とロッドアンテナ３とが共にカード本体５内に収納されるように構成されている。なお、追従係合手段は、本実施形態例のように形成するとは限らず、例えばロッドアンテナ３のアンテナ頭部８をスライドアンテナ基板２に収納したときに、スライドアンテナ基板２に設けた被係合部に着脱自在に係合する爪部等をロッドアンテナ３に設けて形成することもできる。
【００２７】
なお、本発明は、前記実施形態例に限定されることはなく、様々な実施の態様を採り得る。例えば、前記実施形態例では、スライドアンテナ基板２に、２つの平面型アンテナ７を設けたが、平面型アンテナ７を、１つまたは３つ以上、スライドアンテナ基板２に設けてもよい。
【００２８】
また、前記実施形態例では、ロッドアンテナ３のアンテナ頭部８を他の部位よりも大きく形成してスライドアンテナ基板２への係合部としたが、この係合部の形態は特に限定されるものではなく、適宜設定されるものであり、例えばスライドアンテナ基板２に被係合部を設け、この被係合部に係合する突起部や爪部等をロッドアンテナ３側に設けて、この突起部や爪部等を係合部としてもよい。
【００２９】
さらに、前記実施形態例では、スライドアンテナ基板２をカード本体５から引き出すための引き出し構成として、突起部１２を設けたが、この突起部１２は省略することもできる。この場合、例えば、カード本体５とスライドアンテナ基板２との接続部に、アンテナ基板２をカード本体５から突出させる（飛び出させる）方向に押圧するバネを設けておき、また、スライドアンテナ基板２のカード本体５への収納時には、前記バネの弾性力に抗してスライドアンテナ基板２がカード本体５に収納できるようにアンテナ基板２をカード本体５に係止させる係止構成を設けておき、カード本体５に収納された状態のスライドアンテナ基板２の端面をカード本体５側に押したときに、前記係止構成が外れて、前記バネの弾性によってカード本体５からスライドアンテナ基板２が飛び出すような構成を設けてもよい。
【００３０】
さらに、前記実施形態例では、スライドガイド４は、貫通孔により形成されていたが、スライドガイド４は、ロッドアンテナ３をガイドするガイド溝により形成してもよいし、ロッドアンテナ３を間隔を介して挟む態様で設けられるガイド壁により形成してもよい。
【図面の簡単な説明】
【００３１】
【図１】本発明に係るカード型装置の一実施形態例を説明するための図である。
【図２】図１に示すカード型装置の外観図である。
【図３】図１に示すカード型装置におけるロッドアンテナの伸縮構成を説明するための模式的な断面図である。
【図４】ＰＣカードのパソコンへの挿入動作を示す説明図である。
【図５】カード型装置の一従来例を説明するための図である。
【符号の説明】
【００３２】
１  カード型装置
２  スライドアンテナ基板
３  ロッドアンテナ
４  スライドガイド
５  カード本体
７  平面型アンテナ
８  アンテナ頭部
９  頭部嵌合部
１０  カードスロット
１２  突起部
【図１】
2010098370.tif 000003
【図２】
2010098370.tif 000004
【図３】
2010098370.tif 000005
【図４】
2010098370.tif 000006
【図５】
2010098370.tif 000007
【手続補正書】
【提出日】平成20年10月24日(2008.10.24)
【手続補正１】
【補正対象書類名】図面
【補正対象項目名】全図
【補正方法】変更
【補正の内容】
【図１】
2010098370.tif 000008
【図２】
2010098370.tif 000009
【図３】
2010098370.tif 000010
【図４】
2010098370.tif 000011
【図５】
2010098370.tif 000012